(57)【要約】【課題】天然素材である乾燥させた繊維状のへちまを濾過材として用い、使用後は放置しておいても自然に分解し、また燃焼炉の燃料としても利用でき、処分が容易なエアーフィルターを提供するものである。【解決手段】四角形状をなす枠体２の、開口した前面と背面に金網３と多孔板４を取付け、この間の枠体内に濾過材となる複数個の乾燥させた繊維状のへちま５を、採取した状態の形状で、その軸方向が金網３と多孔板４と平行に配置して充填したものである。【選択図】  図４
0003149444.tif 000002
【実用新案登録請求の範囲】
【請求項１】
四角形状をなす枠体の、開口した前面と背面に多孔板または網を取付け、この間の枠体内に濾過材となる複数個の乾燥させた繊維状のへちまを充填したことを特徴とするエアーフィルター。
【請求項２】
枠体内に充填した繊維状のへちまが、採取した状態の形状で、その軸方向が多孔板または網と平行になるように配置して充填されていることを特徴とする請求項１記載のエアーフィルター。
【考案の詳細な説明】
【技術分野】
【０００１】
本考案は、静電塗装ブースや、排煙の多い厨房や焼肉店の店内の排気装置に取り付けるエアーフィルターに関するものである。
【背景技術】
【０００２】
一般に、自動車の車体や金属製品などの塗装に静電塗装が行なわれている。この静電塗装は、塗装ブース内で、被塗装物である金属部品をアースし、帯電させた塗料を被塗装物に噴射して、帯電塗料を被塗装物の表面に静電気で均一に付着させて塗装を行なうものである。この空気中に飛散した帯電塗料は、塗装ブースの壁面に取付けたエアーフィルターを通して、排気ブロアーで吸引して、帯電塗料を捕集している。
【０００３】
従来のエアーフィルターは、四角枠状をなす枠体の、開口した前面と背面に多孔板または網を取付け、この間にグラスウールや、プラスチックの不織布で形成された濾過材を収納した構造となっている（特許文献１）。静電塗装の過程で、空気中に飛散した塗料は、エアーフィルターを通過する間に、濾過材で捕集され、この表面に付着する。長い期間使用していると、目詰まりしてくるので、この状態になったら、濾過材を新しいものに交換している。
【０００４】
しかしながら、塗装の付着したグラスウールや、プラスチックの不織布は、焼却や地中に埋めて処分することができない。このため産業廃棄物として業者に処分を依頼しなければならず、その処分費用が高い問題があった。
【先行技術文献】
【特許文献】
【０００５】
【特許文献１】特開２００７−２６８４４９号公報
【考案の開示】
【考案が解決しようとする課題】
【０００６】
本考案は上記問題を改善し、天然素材である乾燥させた繊維状のへちまを濾過材として用い、使用後は放置しておいても自然に分解し、また燃焼炉の燃料としても利用でき、処分が容易なエアーフィルターを提供するものである。
【課題を解決するための手段】
【０００７】
本考案の請求項１記載のエアーフィルターは、四角形状をなす枠体の、開口した前面と背面に多孔板または網を取付け、この間の枠体内に濾過材となる複数個の乾燥させた繊維状のへちまを充填したことを特徴とするものである。
【０００８】
また請求項２記載のエアーフィルターは、請求項１において、枠体内に充填した繊維状のへちまが、採取した状態の形状で、その軸方向が多孔板または網と平行になるように配置して充填されていることを特徴とするものである。
【考案の効果】
【０００９】
本考案に係る請求項１記載のエアーフィルターによれば、濾過材として乾燥させた繊維状のへちまを用いているので、安価で軽量であり、使用後は天然繊維で形成されているので、自然に放置しておくと腐って分解する。また燃焼炉の燃料として使用すれば、へちまや塗料も容易に燃焼させることができ、高い燃焼エネルギーを得ることができる。
【００１０】
また請求項２記載のエアーフィルターによれば、採取した状態の形状で、その軸方向が多孔板または網と平行に重ねて充填され、その軸方向の沿った空洞部が空気の流入方向と直交しているので、エアーフィルターに流入した空気は、流入側の絡み合った繊維を通過して、ここで捕捉され、更に空洞部内をその軸方向に沿って移動し、排出側の絡み合った繊維を通過する時に、ここで帯電塗料が捕捉され、効率よく全体の繊維で捕捉することができる。また繊維状のへちまは、採取した状態の形状のまま使用するので、製造が容易である。
【考案を実施するための最良の形態】
【００１１】
以下本考案の実施の一形態を図１ないし図４を参照して詳細に説明する。図において１はエアーフィルターを示すもので、２は四角形状をなす枠体で、これは
図２に示すように四角形状をなす枠体部材２Ａの片側開口部に金網３を取付け、四角形状をなす枠体部材２Ｂの片側開口部に多孔板４を取付け、この枠体部材２Ｂの上から、枠体部材２Ａを被せて形成したものである。
【００１２】
また前記金網３や多孔板４は、鉄に限らず、アルミニウムやプラスチックで形成されたもので構成することできる。                    
【００１３】
この枠体３内には乾燥させた繊維状のへちま５が、採取した状態の形状で、その軸方向が金網３と多孔板４の面方向に沿って、縦横に配置されて複数個充填されている。この時、隣接する繊維状のへちま５と隙間がないように詰め込む。
【００１４】
上記構成のエアーフィルターを、静電塗装ブースの排気ブロアー側の壁面の開口部に面状に複数個並べて取付け、ブース内の空気を排気しながら静電塗装を行なうと、空気中に飛散した帯電塗料は、乾燥させた繊維状のへちま５の繊維に帯電塗料が付着して捕集される。
【００１５】
採取した状態の形状で乾燥させた繊維状のへちま５は、図４に示すように繊維６が縦横に絡まって、その軸方向に沿って内側に３〜５個の空洞部７が形成されている。この繊維状のへちま５を、採取した状態の形状で、その軸方向を金網３と多孔板４と平行に縦横に並べて充填したので、その空洞部７が空気の流入方向と直交している。このため、エアーフィルター１に流入した空気は、へちま５の流入側の絡み合った繊維６を通過し、ここで帯電塗料が補足され更に空洞部７内をその軸方向に沿って移動し、更に反対の排出側の絡み合った繊維６を通過する時に、ここで帯電塗料が捕捉され、効率よく全体の繊維６で捕捉することができる。
【００１６】
このようにして、へちま５の繊維６に帯電塗料が補足されて目詰まりしてきたら、枠体部材２Ａを枠体部材２Ｂから取外して、へちま５を取りだし新しい繊維状のへちま５を並べて充填する。取出したへちま５は、天然繊維で形成されているので、自然に放置しておくと腐って分解する。またボイラーなど燃焼炉の燃料として使用すれば、天然繊維や塗料も容易に燃焼させることができ、高い燃焼エネルギーを得ることができる。
【００１７】
なお上記説明では、静電塗装ブースのエアーフィルターとして用いた場合について説明したが、排煙の多い飲食店や食堂の厨房の排気装置に取付けても良く、また煙が充満する焼肉店の店内の排気装置に取付けても良い。
【図面の簡単な説明】
【００１８】
【図１】本考案の実施の一形態によるエアーフィルターを正面側から見た斜視図である。
【図２】図１のエアーフィルターを示す断面図である。
【図３】図１のエアーフィルターを背面側から見た斜視図である。
【図４】図２のＡーＡ線拡大断面図である。
【符号の説明】
【００１９】
１    エアーフィルター  
２    枠体              
２Ａ  枠体部材          
２Ｂ  枠体部材    
３    金網              
４    多孔板            
５    繊維状のへちま    
６    繊維                    
７    空洞部                  
【図１】
0003149444.tif 000003
【図２】
0003149444.tif 000004
【図３】
0003149444.tif 000005
【図４】
0003149444.tif 000006